(57)【要約】【課題】  刈払い機用回転刃における切刃部面の構成を改善することによって、道路端の雑草類の刈払い作業を常に良好に行うことを目的とする。【解決手段】  全体が発条鋼材による薄円板体の軸心を含む中央面部分は水平面形状に成り、この中央面部分に隣接する外周囲部分には一側面部が凹面形状に他側面部が凸面形状に成る切刃部７を一回転方向の波形状に形成して設け、この切刃部面の波形状は三角山状ではなく円弧曲面形状８に形成して成るものである。【選択図】    図６
2014090694.tif 000002
【特許請求の範囲】
【請求項１】
全体が発条鋼材による薄円板体の軸心を含む中央面部分は水平面形状に成り、これに隣接する外周囲部分には一側面部が凹面形状に他側面部が凸面形状に成る切刃部を一回転方向の波形状に形成して設け、この切刃部面の波形状は三角山状ではなく円弧曲面形状に形成して成ることを特徴とする刈払い機用回転刃。
【請求項２】
切刃部の凸面形状に隣接する薄円板体の軸心を含む中央面部分の水平面部に固着する座板に、薄円板体に貫通する通口を多数設けて成ることを特徴とする請求項１に記載した刈払い機用回転刃。
【発明の詳細な説明】
【技術分野】
【０００１】
本発明は、雑草刈払い機用の回転刃に関するものである。
【背景技術】
【０００２】
舗装された道路においては、アスファルトやコンクリートによって施工された敷設部分と歩道との境界の非舗装部分や破壊された部分には土壌がむき出しになっているため、多くの雑草類が生い茂り道路の美観を害していたり、交通事故の原因にもなっていた。
【０００３】
そこで、本発明者は、そのような雑草類の刈取りのための手作業用の除草具を実用新案登録第３１６７７２２号として取得したが、これをさらに展開して自動刈払い機使用する回転刃を開発することにした。
【０００４】
そこで調査すると、そのために使用される刈払い機用回転刃としては、次の文献において知られているものがある。
【先行技術文献】
【特許文献】
【０００５】
【特許文献１】実公昭５３−４９１１７号公報
【特許文献２】実開昭５７−５６４２６号公報
【特許文献３】実開昭６３−３６２２５号公報
【特許文献４】実開昭５６−７６３２２号公報
【０００６】
しかしながら、これらの回転刃は、刈払い機に装着して舗装道路のようなコンクリートによって形成された道路端の硬質壁面に回転刃が接触したときには、刃面部が欠損するなどの損傷を受けることが予想されるような形状や刃形面になっているのである。
【発明の概要】
【発明が解決しようとする課題】
【０００７】
そこで、本発明は、前記公知文献にあるような回転刃を、その材質を変えるとともに切刃部面の構成を変えることによって改善し、常に良好な雑草類の刈払い作業を行うことができる回転刃を提供することを目的とするものである。
【課題を解決するための手段】
【０００８】
本発明は、全体が発条鋼材による薄円板体の軸心を含む中央面部分は水平面形状に成り、これに隣接する外周囲部分には一側面部が凹面形状に他側面部が凸面形状に成る切刃部を一回転方向の波形状に形成して設け、この切刃部面の波形状は三角山状ではなく円弧曲面形状に形成して成るものである。
【０００９】
また、本発明は、切刃部の凸面形状に隣接する薄円板体の軸心を含む中央面部分に固着する座板に、薄円板体に貫通する通口を多数設けて成るものである。
【発明の効果】
【００１０】
本発明に係る回転刃は、前記のとおりの構成手段から成るものであるため、薄円板体周囲の切刃部の上下両面は円弧曲面状の形態によって、雑草の刈払い時にコンクリート材等による硬質の道路面や側壁面に回転刃の周囲面が接触した時、凹凸回転刃体の切刃部は連続する曲面に対し、作業桿を通しての上側方からの加圧力が大きく作用しても、これに対し直ちに反発して押し戻す力が作用するから、回転刃体の切刃部周面は常に正常な形態を維持することができる回転刃となっている。
【００１１】
また、刈払い作業中に回転刃体を舗装道路面に接近すると、回転刃体の高速回転によって真空状態が起り、空気が引き込まれて刈取りしにくい状態に陥るが、そのような状態の発生を無くすために、薄円板体の中央面部分と座板との間に多数の通口を開設し、空気の円滑な流通口としているから、回転障害による刈払いの不全は起らない。
【００１２】
また、刈払いによって薄円板体周囲の切刃部が磨耗したり切損したりした場合には、この切刃部を直接、硬質の道路面や側壁面に対し接触加圧せしめることによって研磨することができるようになる。
【００１３】
したがって、回転刃全体は回転作業中にぶれを起さず、安定性のある回転力によって刈払い作業を円滑に行うことができるようになる。
【図面の簡単な説明】
【００１４】
【図１】回転刃体の平斜視図
【図２】回転刃体の底斜視図
【図３】作業時における回転刃体の平斜視図
【図４】作業時の回転刃体の側面図
【図５】図４要部の側面図
【図６】回転刃体の使用状態時の比較説明図で、（Ａ）は本発明の回転刃体の使用、（Ｂ）は別材質による回転刃体の使用
【発明を実施するための形態】
【００１５】
本発明に係る回転刃にあっては、刈払い作業中に切刃部面が道路のコンクリートやアスファルト施工面に接触しても、その周面部の切刃部は円弧曲面形状によりその反発による戻り力が大きく作用するから、切刃部の破損等を招くことはない。
【００１６】
また、切刃面部は、コンクリートやアスファルトの硬質材敷設面に接触することによって、刃先部分は摩擦により尖鋭に研磨されることになるから、使用者は刈払い作業中には、回転刃の周縁刃面部を意識して道路の側壁面部等に当接し研磨するようにすればよい。（図４・図５参照）
【実施例】
【００１７】
１は全体がステンレス鋼製の発条鋼材による薄円板体で、この薄円板体の形態は軸心２を含む中央面部分３は水平面形状に成り、これに隣接する外周囲部分には、一側面部が凹面形状４に，他側面部が凸面形状５に成る。即ち、この薄円板体１の全体形状は倒平皿状に成るものである。
【００１８】
６は前記薄円板体１の周面部で、この周面部には一回転方向に適当角度に成る波形状の切刃部７を形成する。
【００１９】
前記切刃部７の波形状は、三角山形状（図６Ｂ参照）ではなく、円弧曲面形状８に成る（図６Ａ参照）。
【００２０】
９は前記薄円板体１の中央面部分３の水平面部に固着する座板で、この座板と薄円板体の中央面部とは多数の通口１０・・部におけるバーリングによるかしめ止めをする。
【００２１】
前記通口１０・・の開設は、回転刃の高速回転によって道路面との間に起ころうとする真空状態の発生を未然に防止し、空気の流通を円滑にするための流通口となる。
【００２２】
本発明の回転刃体は、以上のような構成のものである。
【００２３】
１１は前記薄円板体１の軸心２に連結する刈払い機用の作業桿である。
【００２４】
ａはコンクリート又はアスファルト施工の舗装道路を示す。
【００２５】
ｂは前記舗装道路ａの側壁部分を示す。
【符号の説明】
【００２６】
１                            薄円板体
２                            軸心
３                            中央面部分
４                            凹面形状
５                            凸面形状
６                            周面部
７                            切刃部
８                            円弧曲面形状
９                            座板
１０・・                      通口
１１                          作業桿
ａ                            舗装道路
ｂ                            側壁部
【図１】
2014090694.tif 000003
【図２】
2014090694.tif 000004
【図３】
2014090694.tif 000005
【図４】
2014090694.tif 000006
【図５】
2014090694.tif 000007
【図６】
2014090694.tif 000008
【手続補正書】
【提出日】平成25年11月7日(2013.11.7)
【手続補正１】
【補正対象書類名】明細書
【補正対象項目名】全文
【補正方法】変更
【補正の内容】
【発明の詳細な説明】
【技術分野】
【０００１】
本発明は、雑草刈払い機用の回転刃に関するものである。
【背景技術】
【０００２】
舗装された道路においては、アスファルトやコンクリートによって施工された敷設部分と歩道との境界の非舗装部分や破壊された部分には土壌がむき出しになっているため、多くの雑草類が生い茂り道路の美観を害していたり、交通事故の原因にもなっていた。
【０００３】
そこで、本発明者は、そのような雑草類の刈取りのための手作業用の除草具を実用新案登録第３１６７７２２号として取得したが、これをさらに展開して自動刈払い機使用する回転刃を開発することにした。
【０００４】
そこで調査すると、そのために使用される刈払い機用回転刃としては、次の文献において知られているものがある。
【先行技術文献】
【特許文献】
【０００５】
【特許文献１】実公昭５３−４９１１７号公報
【特許文献２】実開昭５７−５６４２６号公報
【特許文献３】実開昭６３−３６２２５号公報
【特許文献４】実開昭５６−７６３２２号公報
【０００６】
しかしながら、これらの回転刃は、刈払い機に装着して舗装道路のようなコンクリートによって形成された道路端の硬質壁面に回転刃が接触したときには、刃面部が欠損するなどの損傷を受けることが予想されるような形状や刃形面になっているのである。
【発明の概要】
【発明が解決しようとする課題】
【０００７】
そこで、本発明は、前記公知文献にあるような回転刃を、その材質を変えるとともに切刃部面の構成を変えることによって改善し、常に良好な雑草類の刈払い作業を行うことができる回転刃を提供することを目的とするものである。
【課題を解決するための手段】
【０００８】
本発明は、全体が発条鋼材による薄円板体の軸心を含む中央面部分は水平面形状に成り、この中央面部分に隣接する外周囲部分は一側面部が凹面形状に他側面部が凸面形状に成る切刃部を一回転方向の波形状に形成して設け、この切刃部面の波形状は三角山状ではなく円弧曲面形状に形成して成るものである。
【０００９】
また、本発明は、切刃部の凸面形状に隣接する薄円板体の軸心を含む中央面部分に固着する座板に、薄円板体に貫通する通口を多数設けるとともにここでかしめ止めして成るものである。
【発明の効果】
【００１０】
本発明に係る回転刃は、前記のとおりの構成手段から成るものであるため、薄円板体周囲の切刃部の上下両面は円弧曲面状の形態によって、雑草の刈払い時にコンクリート材等による硬質の道路面や側壁面に回転刃の周囲面が接触した時、凹凸回転刃体の切刃部は連続する曲面に対し、作業桿を通しての上側方からの加圧力が大きく作用しても、これに対し直ちに反発して押し戻す力が作用するから、回転刃体の切刃部周面は常に正常な形態を維持することができる回転刃となっている。
【００１１】
また、刈払い作業中に回転刃体を舗装道路面に接近すると、回転刃体の高速回転によって真空状態が起り、空気が引き込まれて刈取りしにくい状態に陥るが、そのような状態の発生を無くすために、薄円板体の中央面部分と座板との間に多数の通口を開設してかしめ止めするとともに、空気の円滑な流通口としているから、回転障害による刈払いの不全は起らない。
【００１２】
また、刈払いによって薄円板体周囲の切刃部が磨耗したり切損したりした場合には、この切刃部を直接、硬質の道路面や側壁面に対し接触加圧せしめることによって研磨することができるようになる。
【００１３】
したがって、回転刃全体は回転作業中にぶれを起さず、安定性のある回転力によって刈払い作業を円滑に行うことができるようになる。
【図面の簡単な説明】
【００１４】
【図１】回転刃体の平斜視図
【図２】回転刃体の底斜視図
【図３】作業時における回転刃体の平斜視図
【図４】作業時の回転刃体の側面図
【図５】図４要部の側面図
【図６】回転刃体の使用状態時の比較説明図で、（Ａ）は本発明の回転刃体の使用、（Ｂ）は別材質による回転刃体の使用
【発明を実施するための形態】
【００１５】
本発明に係る回転刃にあっては、刈払い作業中に切刃部面が道路のコンクリートやアスファルト施工面に接触しても、その周面部の切刃部は円弧曲面形状によりその反発による戻り力が大きく作用するから、切刃部の破損等を招くことはない。
【００１６】
また、切刃面部は、コンクリートやアスファルトの硬質材敷設面に接触することによって、刃先部分は摩擦により尖鋭に研磨されることになるから、使用者は刈払い作業中には、回転刃の周縁刃面部を意識して道路の側壁面部等に当接し研磨するようにすればよい。（図４・図５参照）
【実施例】
【００１７】
１は全体がステンレス鋼製の発条鋼材による薄円板体で、この薄円板体の形態は軸心２を含む中央面部分３は水平面形状に成り、この中央面部分に隣接する外周囲部分は、一側面部が凹面形状４に，他側面部が凸面形状５に成る。即ち、この薄円板体１の全体形状は倒平皿形状に成る。
【００１８】
６は前記薄円板体１の周面部で、この周面部には一回転方向に適当角度に成る波形状の切刃部７を周縁部に向けて形成する。
【００１９】
前記切刃部７の波形状は、三角山形状（図６Ｂ参照）ではなく、円弧曲面形状８に成る（図６Ａ参照）。
【００２０】
９は前記薄円板体１の中央面部分３の水平面部に固着する座板で、この座板と薄円板体の中央面部とは多数の通口１０・・部におけるバーリングによるかしめ止めをする。
【００２１】
前記通口１０・・の開設は、回転刃の高速回転によって道路面との間に起ころうとする真空状態の発生を未然に防止し、空気の流通を円滑にするための流通口となる。
【００２２】
本発明の回転刃体は、以上のような構成のものである。
【００２３】
１１は前記薄円板体１の軸心２に連結する刈払い機用の作業桿である。
【００２４】
ａはコンクリート又はアスファルト施工の舗装道路を示す。
【００２５】
ｂは前記舗装道路ａの側壁部分を示す。
【符号の説明】
【００２６】
１                            薄円板体
２                            軸心
３                            中央面部分
４                            凹面形状
５                            凸面形状
６                            周面部
７                            切刃部
８                            円弧曲面形状
９                            座板
１０・・                      通口
１１                          作業桿
ａ                            舗装道路
ｂ                            側壁部
【手続補正２】
【補正対象書類名】特許請求の範囲
【補正対象項目名】全文
【補正方法】変更
【補正の内容】
【特許請求の範囲】
【請求項１】
全体が発条鋼材による薄円板体の軸心を含む中央面部分は水平面形状に成り、この中央面部分に隣接する外周囲部分は一側面部が凹面形状に他側面部が凸面形状に成る切刃部を一回転方向の波形状に形成して設け、この切刃部面の波形状は三角山状ではなく円弧曲面形状に形成して成ることを特徴とする刈払い機用回転刃。
【請求項２】
切刃部の凸面形状に隣接する薄円板体の軸心を含む中央面部分の水平面部に固着する座板に、薄円板体に貫通する通口を多数設けるとともにここでかしめ止めして成ることを特徴とする請求項１に記載した刈払い機用回転刃。
【手続補正４】
【補正対象書類名】図面
【補正対象項目名】図１
【補正方法】変更
【補正の内容】
【図１】
2014090694.tif 000009
【手続補正５】
【補正対象書類名】図面
【補正対象項目名】図２
【補正方法】変更
【補正の内容】
【図２】
2014090694.tif 000010
【手続補正６】
【補正対象書類名】図面
【補正対象項目名】図４
【補正方法】変更
【補正の内容】
【図４】
2014090694.tif 000011